(57)【要約】本発明は、顧客の購入操作の間にデータを格納及び処理するシステム（１）と装置とに関する。システムは、顧客に関連づけられたキーボード（１５）が設けられた少なくとも１つのモバイルツール（２）と、少なくとも１つの販売アウトレット端末（４）と、を含み、モバイルツールと端末とは、購入操作の間にこれらの装置の間でデータを交換する手段（９，１０）を含む。モバイルツールは、顧客行動とロイヤリティデータとを格納する手段（３）と、端末から得られたデータに基づいて前記顧客行動とロイヤリティデータとを更新する手段（１３）と、前記更新に対応する前記端末のデータに送信する手段と、表示しナビゲートする手段（１４，８，１５）と、を含む。端末は、前記更新に対応するデータがある所定の条件を満たしたときに、得られる特典を送信する手段を含む。
2004514989.tif 000002
【特許請求の範囲】
【請求項１】
顧客と関連付けられるキーパッド（１５）と販売端末（４）の少なくとも一つのポイントとを備えた少なくとも一つのモバイルツール（２）を含み、顧客による購入操作の間にデータを格納および処理するためのシステム（１）であって、
モバイルツール（２）および端末（４）は、前記購入操作を行う過程でモバイルツールおよび端末間でデータを交換するための手段（１０）を含み、モバイルツールは、顧客行動およびロイヤリティデータを格納するための手段（３）と、端末（４）から発せられるデータの関数に従って、これらの顧客行動およびロイヤリティデータを更新するための手段（１３）と、この更新に対応するデータを前記端末に送信するための手段と、を含み、
端末は、この更新に対応する当データに関するある所定の条件に適合する場合に特典を発行する手段（１４）を含み、かつ、
モバイルツールは、モバイルツールのキーパッド（１５）を用いて顧客の行動およびロイヤリティデータをナビゲートすることを可能にするディスプレイおよびナビゲーション手段（１４、８、１５）を含むことを特徴とする、システム。
【請求項２】
システムが遠隔サーバ（５）のネットワークを含み、モバイルツール（２）および／または販売端末（４）のポイントが、前記ネットワークとの通信を行うため、かつ、モバイルツール（２）および／または端末（４）のスクリーン（８）上に、顧客の購入履歴および／または顧客の割引、景品または他のボーナスに対する権利に関するデータを表示するための送信手段（１２、９、１３）を含むことを特徴とする、請求項１に記載のシステム。
【請求項３】
モバイルツールと端末との間の送信手段（９、１０）は、少なくとも一部が、電波または赤外線であることを特徴とする、請求項１および２のいずれかに記載のシステム。
【請求項４】
送信手段が、モバイルツールに一体化され、音声またはディジタルメッセージを受信するための手段と、これらの音声またはディジタルメッセージをサーバのネットワークに送信するための手段とを含み、サーバの前記ネットワークが、前記音声メッセージをディジタルデータに変換し、かつ、前記ディジタルデータメッセージを処理するための手段を含むことを特徴とする、請求項２および３のいずれかに記載のシステム。
【請求項５】
音声またはディジタルメッセージを送信する手段が、インターネットアドレスに対するものであり、モバイルツールのキーパッドから前記アドレスを直接呼び出すことを可能にする手段を含むことを特徴とする、請求項４に記載のシステム。
【請求項６】
携帯電話が販売端末のポイントと接続される場合、遠隔サーバ（５）のネットワークの自動呼出し手段を含むことを特徴とする、請求項２〜５のいずれか一項に記載のシステム。
【請求項７】
販売端末（４）のポイントが存在する状態で、キーパッド（１５）を備えたモバイルツール（２）を備えた顧客による購入操作の間に、データを格納および処理する方法であって、
顧客行動およびロイヤリティデータが、モバイルツールのメモリ（３）に格納され、
行動およびロイヤリティデータの更新に必要となる購入金額および情報が、端末（４）から前記モバイルツール（２）に転送され、
前記データが、指定されたアルゴリズムの関数に従って更新され、
更新されたデータが、モバイルツールから前記端末に転送され、
この更新に対応するデータに関するある所定の条件に適合する場合に、顧客に有利なように端末から特典が発行されることを特徴とする、方法。
【請求項８】
データが、電波または赤外線によってモバイルツール（２）と端末（４）との間で送信されることを特徴とする、請求項７に記載の格納および処理方法。
【請求項９】
特典が、端末（４）に属するスクリーン上の表示を介して発行されることを特徴とする、請求項７および８のいずれかに記載の方法。
【請求項１０】
特典が、紙製商品券の形で発行されることを特徴とする、請求項７〜９のいずれか一項に記載の方法。
【請求項１１】
特典が発行され、その後の使用のためにモバイルツールのメモリ（３）に格納されることを特徴とする、請求項７および８のいずれかに記載の方法。
【請求項１２】
端末（４）および／またはモバイルツール（２）が、アルゴリズムを更新するデータの送信のために遠隔サーバ（５）のネットワークに接続される、請求項７〜１１のいずれか一項に記載の方法。
【請求項１３】
端末（４）および／または携帯電話が、サーバの遠隔ネットワークに接続され、顧客の購入履歴および／または特典に対する顧客の権利に関するデータが、遠隔サーバの前記ネットワークから発行され、モバイルツールおよび／または端末のスクリーン上に表示されることを特徴とする、請求項７〜１２のいずれか一項に記載の方法。
【請求項１４】
モバイルツールのキーパッドから直接、あるいは端末または他の方法によって自動的に電子アドレスを呼び出すことによって、インターネットネットワークとの接続を介して音声またはディジタルメッセージをインターネット電子メールアドレスに送信することによって、遠隔サーバのネットワークとの接続が行われることを特徴とする、請求項１２および１３のいずれかに記載の方法。
【発明の詳細な説明】
【０００１】
【発明の属する技術分野】
本発明は、モバイル電話またはディジタルアシスタントを備えたユーザによる購入操作の間にデータを格納、処理および参照することを可能にする、データを格納および処理するためのシステムに関し、これは、例えば、一つ以上の業者へある回数だけ訪問した後、あるいはさらに所与の期間内にある個数だけ商品を購入した後または最小累積支出金額だけ購入した後に特典を得るものである。
【０００２】
本発明はまた、モバイル電話またはディジタルアシスタントを用いてデータを格納および処理する方法にも関する。
【０００３】
本発明には、顧客が同一の１つ以上の業者を再度利用するのを促進することを意図するロイヤリティプログラムの分野において、排他的ではないが特に重要な用途がある。
【０００４】
【従来の技術】
ｘ回の訪問、ｙ個の商品購入、またはｚフランの支出後に割引、商品券または景品を得ることを可能にするロイヤリティシステムは、既に公知である。
【０００５】
促進は、例えば、トランザクション毎にスタンプまたは穴開けをされなければならない紙製または厚紙製のカードによって行われ得る。
【０００６】
磁気片を有するカードまたは支払い端末と共に用いられるバーコードカードを用いる解決法もあり、この場合、行動データ（同一業者または業者のグループへの訪問頻度および／または回数、指定されたまたは指定されない期間にわたっての累積支出金額など）は、集中サーバ上に格納される。
【０００７】
最終的には、より近年には、チップカードを用いる解決法が開発され、この場合、購入履歴および顧客の権利がカードのチップ内に格納および処理される。公知の技術により、例えば、チップカードに複数のロイヤリティプログラムを格納することが可能になっている。
【０００８】
【発明が解決しようとする課題】
しかし、これらのような公知の装置またはシステムは欠点がある。
【０００９】
特に、これらの装置またはシステムは、性能が低いか、あるいは顧客に与えられるカードの使用を未だに必要とするものである。
【００１０】
さらに、これらの装置またはシステムは、顧客による顧客の権利および購入履歴の詳細な確認を容易に行うことができない。
【００１１】
【課題を解決するための手段】
本発明は、ロイヤリティプログラムの枠組み内でデータの格納、処理および参照を行うためのシステムを提案することによって、これらの欠点を解消するものであり、このシステムは、特に、商品券の獲得を条件付ける行動データの最適化された管理を可能にするインフラストラクチャを実施するという点で、以前に公知であるシステムよりも当該技術の要件により適している。
【００１２】
本発明によって、顧客は、自身の携帯電話またはディジタルアシスタントを用いて業者におけるロイヤリティプログラムを利用する。したがって、顧客は、電話またはディジタルアシスタント自体に割引商品券または販売促進提供の形で特典を受けとることができる。
【００１３】
「特典」なる用語は、印刷されたおよび／またはスクリーン上に表示された商品券、あるいは一つ以上のロイヤリティポイントおよび／または他のいずれもの販売促進提供のいずれかを意味するものと理解される。
【００１４】
したがって、大量販売機器である携帯ツール（携帯電話またはディジタルアシスタント）によって、顧客は、業者のロイヤリティプログラムに加わることが可能になる。
【００１５】
業者側としては、業者は、ロイヤリティカードなどの特定の格納媒体を作成する必要なく、顧客自身の携帯ツールを用いて、特典の発行を条件付ける顧客に関する情報および行動データを格納する。
【００１６】
実際に、携帯電話またはディジタルアシスタントは、大量に流通している安全な携帯品であり、単なるカードよりもより多くの可能性を提供する。
【００１７】
さらに、携帯電話およびディジタルアシスタントは、キーパッドおよびスクリーンを備えた接続された機器であり、顧客が顧客の購入履歴および権利に関連する情報にアクセスすることを可能にするために用いることができる。
【００１８】
購入履歴および権利の参照は、今後は、複雑な管理手続きなしに、いかなる付加的な装置にも頼ることさえなく、いつでも即時に実行することができる。
【００１９】
最終的に、業者は、従前の特典の全てから利益を得、顧客のロイヤリティを得る機会を最大にすることができる。
【００２０】
この目的で、本発明は、特に、顧客による購入操作の間にデータを格納および処理するためのシステムを提供し、このシステムは、前記顧客に関連付けられたキーパッドと販売端末の少なくとも一つのポイントとを備えた少なくとも一つのモバイルツール（モバイル電話またはディジタルアシスタント）を含み、
モバイルツールおよび端末は、前記購入操作を行う過程でモバイルツールおよび端末間でデータを交換するための手段を含み、
モバイルツールは、顧客行動およびロイヤリティデータを格納するための手段と、端末から発するデータの関数に従ってこれらの顧客行動およびロイヤリティデータを更新するための手段と、この更新に対応するデータを前記端末に送信するための手段と、を含み、
端末は、この更新に対応するデータに関するある所定の条件に適合する場合に特典を発行する手段を含み、
モバイルツールは、モバイルツールのキーパッドを用いて顧客の行動およびロイヤリティデータをナビゲートおよび表示するための手段を含むことを特徴とする。
【００２１】
有利な実施の形態において、さらに以下の規定のうちの一つおよび／または他の規定も行われる。
−　システムは、遠隔サーバのネットワークを含み、モバイルツールおよび／または販売端末のポイントは、前記ネットワークとの通信を行うため、かつ、モバイルツールおよび／または端末のスクリーン上に、顧客の購入履歴および／または割引、景品および他のボーナスに対する顧客の権利に関するデータを表示するための送信手段を含み、
−　モバイルツールと端末との間の送信手段は、少なくとも一部が、電波または赤外線を送信および受信するための手段であり、
−　送信手段は、モバイルツールに一体化された、音声またはディジタルメッセージを受信するための手段と、これらの音声またはディジタルメッセージをサーバのネットワークに送信するための手段と、を含み、上記サーバのネットワークは、前記音声メッセージをディジタルデータに変換し、かつ、前記ディジタルデータメッセージを処理するための手段を含み、
−　音声またはディジタルメッセージを送信するための手段は、インターネットアドレスに対するものであり、モバイルツールのキーパッドから前記アドレスを直接呼び出すことを可能にする手段を含み、
−　モバイルツールが販売端末のポイントと接続される場合、遠隔サーバのネットワークによってモバイルツールの自動呼出し手段を含む。
【００２２】
本発明は、販売端末ポイントが存在する状態で、キーパッドを備えたモバイルツールを備えた顧客による購入操作の間に、データを格納および処理する方法も提供し、この方法は、
顧客行動およびロイヤリティデータが、モバイルツールのメモリに格納され、
行動およびロイヤリティデータの更新に必要となる購入金額および情報が、端末からモバイルツールに転送され、
前記データが、指定されたアルゴリズムの関数に従って更新され、
更新されたデータが、モバイルツールから端末に転送され、および
顧客をに有利なように端末から特典が発行されることを特徴とする。
【００２３】
有利には、顧客は、前記モバイルツールのキーパッドを用いてナビゲートすることによって、顧客に関する行動およびロイヤリティデータを表示する。
【００２４】
また有利には、データは、電波または赤外線によってモバイルツールと端末との間で送信される。
【００２５】
有利な実施の形態において、アルゴリズムを更新するデータは、情報サーバの集中ネットワークによって端末に送信される。
【００２６】
また有利には、特典は、端末に属するスクリーン上の表示を介しておよび／または紙製の商品券の形で発行される。
【００２７】
別の有利な実施の形態において、特典は発行され、次の使用のためにモバイルツールのメモリに格納される。
【００２８】
また有利には、顧客の購入履歴および／または特典に対する顧客の権利に関するデータがサーバの前記ネットワークから発行され、モバイルツールおよび／または端末のスクリーン上に表示される。
【００２９】
別の有利な実施の形態において、モバイルツールのキーパッドから直接、あるいは端末または他の方法によって自動的に電子アドレスを呼び出すことによって、音声またはディジタルメッセージが、インターネットネットワークとの接続を介して上記インターネット電子メールアドレスに送信される。
【００３０】
さらに特に記載される実施の形態において、電話のメモリ内に一つまたは複数のロイヤリティプログラムの動的割当てを定める。
【００３１】
したがって、カードの所持者が、ブランドに対応する販売ポイントを初めて訪問すると、電話または均等物との通信を開始する端末は、電話または均等物がブランドのロイヤリティプログラムを実際に備えているかを確認するように設計されている。
【００３２】
応答が否定的なものである場合、端末は、電話のメモリ中のプログラムの識別子ならびに行動データを更新する情報を送信し、行動データは、この目的のために設けられたメモリ空間において追加され得る。したがって、電話内のロイヤリティプログラムの起動を動的に管理することが可能である。
【００３３】
本発明は、非制限的な例として与えられる以下の実施の形態の記載を読めば、より良く理解される。
【００３４】
本発明は、添付の図面を参照する。
【００３５】
【実施例】
図１は、データメモリ３（ＳＩＭカードおよび／またはモバイルツール自身が有するメモリ）と、ここでは支払い端末からなる販売端末４のポイントとを備えたモバイルツール２、例えばモバイル電話を含むシステム１を図示する。
【００３６】
販売端末のポイントは異り得るものであり、例えば、キオスク、自動販売機などであり得る。
【００３７】
ここでさらに特に記載される実施の形態において、システム１は、以下の機能を提供する、一つ以上のＰＣタイプの遠隔サーバ５も含む。
−　支払い端末へのロイヤリティパラメータの送信（二重矢印６）
−　ロイヤリティトランザクションに関するデータの収集（二重矢印６）
−　特典の獲得に関する情報（購入履歴および権利）の、モバイルツール２のスクリーンまたはディスプレイ８上での参照で必要となるデータのモバイルツール１への送信（二重矢印７）。
【００３８】
この機能を行うために、モバイルツール１は、一方では１以上の情報サーバ５と、他方では支払い端末４と通信（二重矢印６および１１）を行うための電子モジュール９および１０を含む。これらのモジュールは本質的に公知であり、赤外線（ダイオードなど）および／または電波（送信器／受信器など）による通信を可能にする。
【００３９】
システムの様々な要素を互いに理解することを可能にするために、ツールは、モバイルツール１、支払い端末４および／またはサーバ５間の通信のための一つ以上のプロトコル、例えば、以下に示す一つ以上の送信プロトコルを含む、インターフェース手段１２を含む。
−　支払い端末がＧＳＭモジュールを備える場合に、支払い端末へのツールの通話を可能にするＳＭＳ（ショートメッセージサービス）
−　「ブルートゥース（Ｂｌｕｅｔｏｏｔｈ）」（高周波による交換）
「ブルートゥース」は、当業者に公知である近距離無線伝送標準規格である。現在、この標準規格を実施している機器は、十メートル単位の半径内で１Ｍビット／秒のビット速度で互いに通信し得ることを想起されたい。
−　ＩｒＤａ（赤外線による通信標準規格）
−　新しいＧＰＲＳ、ＵＭＴＳ、Ｗａｐ標準規格などの他の全ての標準規格。
【００４０】
モバイルツールは、特に以下の機能を提供する、必要なソフトウェアを実施するプロセッサを含むメインモジュール１３を含む。
−　支払い端末と携帯電話との間の情報交換（モジュール１０）
−　携帯電話内へのデータの格納および更新（モジュール３）
−　端末レベルでのロイヤリティ情報の読出しおよび翻訳（二重矢印１１）
−　端末４レベルでの商品券発行
−　例えば、ディジタル液晶スクリーンによって形成されるキーパッドを含むナビゲーションツール１５を介した携帯電話のスクリーンまたはディスプレイ８上での顧客の購入履歴および権利の表示およびスクリーン表示（モジュール１４）。
【００４１】
本発明による方法の例示的な用途は、累積購入金額に基づいて目的とされる商品券を発行するロイヤリティプログラムと共に記載される。
【００４２】
さらに、このプログラムは、以下の表に要約される。
【００４３】
達成されるべき目的は、関連した１つ以上の業者のブランドの元での購入金額を増大させることである。
【００４４】
購入金額増大を行うために、一ヶ月以内に行われる購入金額に関連する比例規則に基づいたロイヤリティプログラムが用いられる。
【００４５】
モバイルツールにおける電子商品券の発行は、顧客が所望の報奨しきい値に達すると、支払い端末のレベルで即時に行われる。
【００４６】
ここに記載される例において、プログラムは、報奨のしきい値の増大に対応する４つのシナリオからなる。
【００４７】
発行規則およびプログラムの内容は以下の通りである。
【００４８】
１５ドル分またはそれ以上の購入に対して飲み物１杯をプレゼント。
４０ドル分またはそれ以上の購入に対してＴシャツをプレゼント。
７５ドル分またはそれ以上の購入に対して、選択されたレコードへの２０％の割引。
１２０ドル分またはそれ以上の購入に対して、店のレストランで食事をプレゼント。
【００４９】
【表１】
2004514989.tif 000003
【００５０】
図２Ａから図２Ｃは、業者によってセットアップされた様々なプログラム中で顧客（購入および権利履歴）のステータス（行動データ）の参照を可能にし、本発明を実施する、モバイルツール（例えば、携帯電話）上で表示可能なスクリーンの例を示す。
【００５１】
商品券を得るための条件は、携帯電話のスクリーン上に明確に示される。
【００５２】
より正確には、図２Ａは、毎月の訪問頻度に基づく例示的なプログラムを示す。
【００５３】
スクリーン２０、２２および２４は、従来のナビゲーション手段を用いた顧客によるプログラム「バーガー」の選択（スクリーン２０）、有効期間と共に現在のステータス（スクリーン２２）、および顧客によって受け取られたまたは受け取られるべき特典の段階的な表示（スクリーン２４）を連続して示す。
【００５４】
図２Ｂは、累積購入金額に基づいた例示的なプログラムを示す。スクリーン２６、２８および３０は、「夏季特別企画」プログラムの選択を表示し、購入を考慮に入れた現在のステータスがスクリーン３０上に視覚的に示されている。
【００５５】
最後に、図２Ｃは、一ヶ月内に購入された商品数（ここではピザ）に基づく例示的なプログラムを示す。
【００５６】
スクリーン３２、３４および３６は、ピザ無料プログラムの選択（スクリーン３２）、現在のステータス（スクリーン３４）、および特典の段階的な表示（スクリーン３６）を示す。
【００５７】
ここでさらに特に検討される本発明の実施の形態によるシステムの動作の一例が、支払い端末４を備えた業者におけるもので、携帯電話２と共に、図１を参照して記載される。
【００５８】
顧客が販売ポイントに来て購入を行うと、トランザクションの量および携帯電話１内のデータを更新するために必要となる情報が、端末４によって送信される。
【００５９】
携帯電話１と端末４との間の通信（矢印１１）の開始は、赤外線リンクの場合、例えば、ただ単なるポインティング（ポイントとポイントとの間の通信）によって行われる。
【００６０】
「ブルートゥース」技術の場合、２つの機器の間の識別および同期化は、マスター／スレーブ型の関係で周波数のネゴシエーションが行われることによって達成される。
【００６１】
最後に、ショートメッセージによる通信の場合は、リンクおよび情報交換をセットアップするために電話番号をダイアルすることが必要となる（例えば、顧客は、業者の支払い端末のキーパッド上で自分の電話番号をダイアルする）。
【００６２】
端末４と携帯電話１との間の通信は、プロトコルインターフェース１２を介する通信用モジュール１０によって行われる。メインモジュール１３は端末４によって送信された情報を検索し、メモリ３内の行動データを更新する。
【００６３】
次に、メインモジュール１３は、特典の発行を条件付ける累積データを支払い端末４に送り返す。
【００６４】
発行の基準が有効となった場合、端末４は、スクリーン上の単なる表示を介して、または特典の印刷によって特典を発行する。有利な処理においては、その後の使用のために携帯電話の実際のメモリ３へ特典を格納することが定められている。
【００６５】
端末４へのロイヤリティパラメータの送信および端末からのトランザクションの遠隔収集は、ここでは、例えば、インターネットネットワークによって、または衛星などによって、リンク６を介する一つ以上の集中情報サーバ５によって行われる。
【００６６】
参照を行うために、メインモジュール１３は、電話２のメモリ３内に含まれる情報にアクセスする。メモリ内に含まれる情報が網羅的なものであるとき、モジュールはこれらのデータをディスプレイおよびナビゲーションモジュール１４に配給する。
【００６７】
しかし、ここでも有利なことに、メモリ３上に含まれる情報が部分的なものであるとき、メインモジュール１３は、通信モジュール９およびプロトコルインターフェース１２による情報サーバ５へ遠隔的に質問することによって、失われた情報を得る。次いで、メインモジュール１３は、メモリ３からの情報をサーバ５から発せられた情報と比較し、それをディスプレイおよびナビゲーションモジュール１４に配給する。
【００６８】
これらのデータを受け取った後、ディスプレイおよびナビゲーションモジュール１４はこれらのデータを整え、スクリーン表示のためにディスプレイ８に送信する。次いで、これらのデータは、ナビゲーションツール１５、例えば、キーパッドによって所持者により参照され得る。
【００６９】
本発明と共に用いられ得るデータファイルの実施の形態は、以下で例として記載される。
【００７０】
一般ファイル：
これは、電話および／またはオペレータ、ならびに特に以下を記載する情報を含む。
−　電話番号および／またはＳＩＭカードの識別番号
−　オペレータ名（またはその検索を可能にする識別子）
−　会員有効期限日
【００７１】
顧客ファイル：
これは、以下に示す如き電話所有者を記載する情報をまとめてグループ化する。
−　所有者の名前
−　所持者の識別番号（会員番号など）
−　誕生日、住所などの人口統計的情報
−　所持者の背格好などの生物測定学的情報。
【００７２】
いわゆるＲＦＡ（直近売上、買上回数、買上金額）ファイル：
これは、携帯電話の所有者によって繰り返し訪問された各業者についての購入行動の履歴を格納する。これはレコードで構成され、各レコードは、業者（またはロイヤリティプログラムが複数の業者に共通であるときには、複数の業者）の１つ以上ロイヤリティプログラムに固有の情報を含む。
【００７３】
各レコードは、以下を含む。
−　ロイヤリティプログラムの識別番号
−　この業者によって実行されたロイヤリティプログラムのタイプ
−　ロイヤリティプログラムの有効期限の日
−　この業者に対して行われた最終訪問日
−　この業者に対して行われた訪問回数
−　この業者から行われた累積購入金額。
場合によっては、この業者から購入された累積商品の個数（例えば、ピザの個数）
【００７４】
商品券ファイル：
これによって、その後の使用のために端末レベルで発行された特典を電話のメモリ内に格納することが可能になる。このファイルに含まれる情報の中で、とりわけ、例えば、
−　提供識別子および／または商品券識別コード
−　商品券有効期限
−　商品券の説明文または文言
−　受入れネットワークの識別子
がある。
【００７５】
ポイントファイル：
報酬のために提出されると累積および交換され得る販売促進ユニット型のロイヤリティポイントの発行という形が、特典に採用されている場合、このファイルに、１つ以上の業者において携帯電話の所有者によって獲得されるロイヤリティポイントの累積が格納される。
【００７６】
上記から明らかであり、かつ上記から実際に由来するように、本発明は、さらに特に記載される実施の形態に限定されない。逆に、本発明は、続く全ての実施の形態、特に、テレビ番組がスクリーン表示されている間に、テレビのデコーダによって顧客の携帯またはディジタルアシスタントに、電子商品券の形で顧客に提示される特典が、ダウンロードされる実施の形態を包含する。
【図面の簡単な説明】
【図１】
本発明の一つの実施の形態によるシステムの概略図である。
【図２Ａ】
図２Ａは、本発明の実施の形態の枠組み内で用いられるモバイル電話の参照スクリーンの例を示す。
【図２Ｂ】
図２Ｂは、本発明の実施の形態の枠組み内で用いられるモバイル電話の参照スクリーンの例を示す。
【図２Ｃ】
図２Ｃは、本発明の実施の形態の枠組み内で用いられるモバイル電話の参照スクリーンの例を示す。
【図１】
2004514989.tif 000004
【図２Ａ】
2004514989.tif 000005
【図２Ｂ】
2004514989.tif 000006
【図２Ｃ】
2004514989.tif 000007
【国際公開パンフレット】
2004514989.tif 000008
2004514989.tif 000009
2004514989.tif 000010
2004514989.tif 000011
2004514989.tif 000012
2004514989.tif 000013
2004514989.tif 000014
2004514989.tif 000015
2004514989.tif 000016
2004514989.tif 000017
2004514989.tif 000018
2004514989.tif 000019
2004514989.tif 000020
2004514989.tif 000021
2004514989.tif 000022
2004514989.tif 000023
2004514989.tif 000024
2004514989.tif 000025
2004514989.tif 000026
2004514989.tif 000027
2004514989.tif 000028
2004514989.tif 000029
2004514989.tif 000030
2004514989.tif 000031
2004514989.tif 000032
2004514989.tif 000033
2004514989.tif 000034
【国際調査報告】
2004514989.tif 000035
2004514989.tif 000036
2004514989.tif 000037
2004514989.tif 000038
2004514989.tif 000039
2004514989.tif 000040
2004514989.tif 000041
2004514989.tif 000042